(57)【要約】【課題】  歯科医療用の接写撮影において、患者の口の周辺部のみに照明光を照射し、患者に不快感を与えることを防ぎつつ、効率的な照明を可能にする照明装置を提供する。【解決手段】  デジタルカメラ３０のレンズ鏡筒３２の周囲に着脱自在に取付けられる照明装置１０は、被写体側に向かって先細いテーパ状の導光部材１６を含む。導光部材１６は、レンズ鏡筒３２の中心軸Ｅに垂直な照射面２２と、中心軸Ｅに平行な内周面２４を有する。光源部１４から照射された照明光は、反射部材１８の表面において反射されたり、導光部材１６により拡散されながら導光される。導光部材１６は、照射面２２から、矢印Ｂが例示する中心軸Ｅに略平行な方向に、内周面２４から、矢印Ａが例示する中心軸Ｅに向かう方向に、それぞれ照明光を照射する。その結果、照明装置１０は、接写において患者の口の周辺部のみを、ほぼ均等に照明する。【選択図】        図３
2005241995.tif 000002
【特許請求の範囲】
【請求項１】
レンズ鏡筒の外周に着脱自在に取付けられる接写用の照明装置であって、
前記レンズ鏡筒側から被写体側に向けて照明光を放射する光源と、
筒状でかつ前記レンズ鏡筒の中心軸方向にて、前記光源から被写体側の先端部に向けて径方向寸法が小さくなるテーパ状をなし、入射する前記照明光を被写体側に向けて導く導光部材と、
前記導光部材の外周面を覆うように配置され、前記導光部材を透過した前記照明光を反射する反射部材とを備えたことを特徴とする照明装置。
【請求項２】
前記導光部材の前記被写体側の先端部が、前記レンズ鏡筒の中心軸方向において、前記反射部材よりも突出したフランジ部を有することを特徴とする請求項１に記載の照明装置。
【請求項３】
前記導光部材が、前記光源から入射する照明光を拡散させる拡散性材料で構成されていることを特徴とする請求項１に記載の照明装置。
【請求項４】
前記導光部材の内周面が、前記レンズ鏡筒の中心軸に略平行であることを特徴とする請求項１に記載の照明装置。
【請求項５】
前記照明装置の被写体側の先端部の内径が、前記レンズ鏡筒の内径と略等しいことを特徴とする請求項１に記載の照明装置。
【請求項６】
前記光源が、前記レンズ鏡筒側の端部近傍に位置することを特徴とする請求項１に記載の照明装置。
【請求項７】
前記光源が、半導体発光素子であることを特徴とする請求項１に記載の照明装置。
【発明の詳細な説明】
【技術分野】
【０００１】
本発明は、接写撮影用の照明装置に関し、特に、人の歯列を接写撮影する歯科医療用の照明装置に関する。
【背景技術】
【０００２】
一般に、歯科医療用に人の歯列を接写撮影する場合、接写に適したリングストロボが使用される場合がある。（例えば特許文献１）。リングストロボは、撮影装置のレンズ鏡筒の外周に取付けられ、患者の口元に光を照射する。
【特許文献１】特開２００１−３５６４０３号公報（図１）
【発明の開示】
【発明が解決しようとする課題】
【０００３】
患者の歯列の撮影においてリングストロボを用いると、顔面全般が照明され、照明光の眩しさや、熱などにより、患者に不快感を与える場合がある。リングストロボの発光面が大きい場合、接写撮影において、患者に威圧感を与える場合もある。
【０００４】
また一般に、リングストロボが、撮影には関係のない範囲まで照明することによって、効率的に照明できず、無駄な電力消費につながる場合がある。
【０００５】
本発明は、歯科医療のための接写撮影において、患者の口元のみに照明光を照射し、患者に不快感を与えることを防ぎつつ効率的な照明を行なう照明装置など、撮影のために必要な範囲のみを効率的に照明する照明装置の提供を目的とする。
【課題を解決するための手段】
【０００６】
本発明の照明装置は、レンズ鏡筒の外周に着脱自在に取付けられ、接写撮影のために用いられる。照明装置は、レンズ鏡筒側から被写体側に向けて照明光を放射する光源と、筒状であって、かつレンズ鏡筒の中心軸方向にて、光源から被写体側の先端部に向けて径方向寸法が小さくなるテーパ状をなし、入射する照明光を被写体側に向けて導く導光部材と、導光部材の外周面を覆うように配置され、導光部材を透過した照明光を反射する反射部材とを備える。
【０００７】
導光部材の被写体側の先端部は、レンズ鏡筒の中心軸方向において、反射部材よりも突出したフランジ部を有することが好ましい。また、導光部材は、光源から入射する照明光を拡散させる拡散性材料で構成されていることが望ましい。
【０００８】
導光部材の内周面は、レンズ鏡筒の中心軸に略平行であることが好ましい。また、照明装置の被写体側の先端部の内径は、レンズ鏡筒の内径と略等しいことが望ましい。
【０００９】
光源は、レンズ鏡筒側の端部近傍に位置することが好ましい。また、光源は、例えば半導体発光素子である。
【００１０】
光源からの照明光を被写体側に拡散しながら導光する導光部材が、被写体側に向かって先細いテーパ状であることにより、被写体に向けて照射される照明光の著しい拡散を防止し、撮影のために必要な範囲のみを効率的に照明する照明装置が実現できる。
【発明の効果】
【００１１】
本発明によれば、接写撮影において、患者の口元のみに照明光を照射して患者に不快感を与えることを防ぎつつ、効率的な照明を可能にする照明装置を提供できる。
【発明を実施するための最良の形態】
【００１２】
以下、本発明の実施形態を、図面を参照して説明する。図１は、照明装置とデジタルカメラとを示す斜視図である。
【００１３】
本実施形態における照明装置１０は、デジタルカメラ３０の撮影光学系（図示せず）を内包したレンズ鏡筒３２の外周部の先端に着脱自在に取付けられ、使用される。レンズ鏡筒３２は、一眼レフカメラ用の交換レンズと略同じ径を有する。照明装置１０は、筒状であって、被写体側に向かって細くなるテーパ状である。照明装置１０の光源として、ＬＥＤ（半導体発光素子・ここでは図示せず）が用いられており、光源には、接続コード４２を介して照明装置１０と電気的に接続された電源ユニット４０から、電源が供給される。
【００１４】
図２は、照明装置１０と電源ユニット４０とを示す斜視図である。
【００１５】
照明装置１０は、取付け部１２を介して、着脱自在にレンズ鏡筒３２に取付けられる。電源ユニット４０は、デジタルカメラ３０に設けられた三脚の取付け穴（図示せず）に螺合する螺子４４を介して、デジタルカメラ３０に取付けられる。ユーザは、螺子４４に連動するダイヤル４６を操作することにより、電源ユニット４０を着脱する。
【００１６】
図３は、レンズ鏡筒３２に取付けられた状態の照明装置１０の断面図である。
【００１７】
照明装置１０は、ＬＥＤを備えていて照明光を放射する光源部１４、導光部材１６及び反射部材１８を備える。光源部１４は、レンズ鏡筒３２側から被写体側に向けて照明光を放射し、照明光の光路を妨げないために、照明装置１０のレンズ鏡筒３２側の端部近傍、すなわち取付け部１２の近傍に配置される。導光部材１６は、筒状であって、かつレンズ鏡筒３２の中心軸方向にて、光源部１４側から被写体側に向かって細くなるテーパ状に形成されている。導光部材１６は、光源部１４に接しており、照明光を拡散させる拡散性の材料によって形成されている。このため、光源部１４が放射した照明光を、被写体側に向けて導光する。反射部材１８は、導光部材１６の外周面を覆うように、導光部材１６と同軸的に筒状かつテーパ状に形成され、導光部材１６を透過した照明光を反射する。                      
【００１８】
導光部材１６中の矢印は、導光部材１６中での照明光の光路を例示している。光源部１４から放射された照明光は、その一部を除き、反射部材１８の表面において反射されることにより、透過性の導光部材１６中を拡散されながら導光される。その結果、導光部材１６の内周面２４から、反射部材１８によって反射された照明光が、デジタルカメラ３０のレンズ鏡筒の中心軸Ｅに向かう方向に射出される（矢印Ａ参照）。なお、矢印Ａは、照明光の射出方向を例示するものであり、内周面２４からの照明光は、実際には様々な角度で、光軸Ｅに向かいつつ被写体側に進むように、射出される。また、中心軸Ｅは、撮影光学系３４の光軸と一致する。
【００１９】
導光部材１６は、被写体側の先端部にフランジ部２０を有する。フランジ部２０は、レンズ鏡筒の中心軸Ｅ方向において、反射部材１８の被写体側の端部より突出している。フランジ部２０の先端には、中心軸Ｅに垂直な照射面２２が設けられている。そして、照射面２２からは、光源部１４からの照明光のうち、反射部材１８の表面において反射されない照明光が主に射出される。このため、照射面２２から射出される照明光の一部は、中心軸Ｅに平行な方向に沿って進む。さらに、照明光が導光部材１６によって拡散されていることから、照射面２２からの照明光の一部は、中心軸Ｅから離れるように、中心軸Ｅに対して照射角αを有する方向に沿って射出される（矢印Ｂ参照）。矢印Ｂも、照射光の射出方向を例示するものである。なお、フランジ部２０は、照射面２２のみならず、照明装置１０の外面の先端部を形成する外周面２３を有し、少し離して撮影したときに写り込む照明領域と非照明領域の境目を目立たなくするために、外周面２３からも照明光がわずかに射出される。
【００２０】
また、導光部材１６が、反射部材１８によって反射されない照明光の一部を、照射面２２から中心軸Ｅに略平行な方向に射出するために、光源１４は、内周面２４に近くなるように配置されている。
【００２１】
また、内周面２４は中心軸Ｅに平行であり、照明装置１０の被写体側の先端部における内径は、レンズ鏡筒３２の内径に略等しい。さらに、導光部材１６と反射部材１８とが、被写体側に向かって細くなるテーパ状であることから、照射面２２から照射される照明光は、広い範囲に渡って照射されず、中心軸Ｅに対する照射角αは、小さい角度に抑えられる。以上のように、照射面２２と内周面２４とから照明光が照射されることにより、照明装置１０全体としては、照射面２２の外周の輪郭を中心軸Ｅに平行に被写体側に延長した場合に、延長された輪郭によって被写体上に形成されるほぼ円形の領域をわずかに拡張した範囲を、接写においてほぼ均等に照明する。
【００２２】
図４は、光源部１４と導光部材１６とを示す斜視図である。なお、光源部１４と導光部材１６とは、実際には互いに接しているものの、それぞれの形状を明確に示すため、図４は、これらが分離した状態を示す。図５は、光源部１４を示す上面図である。
【００２３】
光源部１４と導光部材１６、導光部材１６と反射部材１８とは、実際には、いずれも互いに接しているものの、図４は、光源部１４と導光部材１６の形状を明確に示すため、反射部材１８を除き、光源部１４と導光部材１６とが分離した状態を示す。
【００２４】
光源部１４は、第１〜第８ＬＥＤ１５Ａ〜１５Ｈと、円環状の実装基板１７を備える。第１〜第８ＬＥＤ１５Ａ〜１５Ｈは、実装基板１７上に等間隔で取付けられている。一方、テーパ状の導光部材１６は、取付け部１２（図３参照）を含む端部において、光源取付け面２６を有する。第１〜第８ＬＥＤ１５Ａ〜１５Ｈは、実装基板１７によって固定されている。
【００２５】
第１〜第８ＬＥＤ１５Ａ〜１５Ｈは、それぞれ同じ光量の照明光を放射する。いずれのＬＥＤからの照明光も、導光部材１６によって拡散されつつ導光される。導光部材１６による拡散により、被写体に向けて照射される照明光の光量は、照射面２２上でほぼ均一であり、さらに、内周面２４においても、取付け面２６からの距離が等しい円形の領域における光量は、ほぼ均一である。
【００２６】
第１〜第８ＬＥＤ１５Ａ〜１５Ｈは、実装基板１７に沿って配設された第１ワイヤ２７、及び第２ワイヤ２８によって電気的に接続されている。第１ワイヤ２７は陽極用であり、第２ワイヤ２８は陰極用である。第１〜第８ＬＥＤ１５Ａ〜１５Ｈは、第１及び第２ワイヤ２７、２８と接続コード４２を介して、電源ユニット４０から電源供給される。
【００２７】
図６は、デジタルカメラ３０と共に使用される照明装置１０を示す側面図である。
【００２８】
照明装置１０は、先述のように、照射面２２の外周の輪郭を中心軸Ｅに平行な方向に延長することにより、被写体上に形成される領域をわずかに拡張した範囲を、接写においてほぼ均等に照明する。本実施形態においては、導光部材１６の形状等が歯列の接写に適するように調整されているため、照明装置１０は、接写時に、患者の目には照明光を照射せず、口を含む鼻より下の照明領域４８のみを照明する。
【００２９】
このように、必要な範囲のみを照明し、さらに発光効率の高いＬＥＤを光源として用いることから、照明装置１０は、電力消費を抑えた効率的な照明を可能にする。
【００３０】
以上のように、本実施形態によれば、接写撮影において、患者の口元のみに照明光を照射して患者に不快感を与えることを防ぎつつ、効率的な照明を可能にする照明装置を提供することを目的とする。
【００３１】
光源部１４は、発光効率が高く、継続して照明光を放射できるＬＥＤを含むことが好ましいが、これに限定されない。例えば、キセノンランプを用いて照明光を放射しても良い。また、ＬＥＤの数や配置も本実施形態に限定されず、例えば、円環状の発光面を有する単一のＬＥＤを用いても良い。
【００３２】
電源ユニット４０は、接続コード４２を介さずに、照明装置１０と接しながら電源供給しても良い。この場合、電源ユニット４０は、例えば、光源部１４の近傍で、レンズ鏡筒３２を覆うように設置される。
【図面の簡単な説明】
【００３３】
【図１】照明装置とデジタルカメラとを示す斜視図である。
【図２】照明装置と電源ユニットとを示す斜視図である。
【図３】レンズ鏡筒に取付けられた状態の照明装置の断面図である。
【図４】分離した状態での光源部と導光部材とを示す斜視図である。
【図５】光源部を示す上面図である。
【図６】デジタルカメラと共に使用される照明装置を示す側面図である。
【符号の説明】
【００３４】
１０  照明装置
１２  取付け部
１４  光源部（光源）
１５Ａ〜１５Ｈ  第１〜第８ＬＥＤ（半導体発光素子）
１６  導光部材
１８  反射部材
２０  フランジ部
２２  照射面
２４  内周面
３０  デジタルカメラ（撮影装置）
３２  レンズ鏡筒
３４  撮影光学系
【図１】
2005241995.tif 000003
【図２】
2005241995.tif 000004
【図３】
2005241995.tif 000005
【図４】
2005241995.tif 000006
【図５】
2005241995.tif 000007
【図６】
2005241995.tif 000008